(57)【要約】【課題】フロントパネルの外観状の不具合が発生を抑制することができるとともに、前記面押しボタンの誤動作、動作が不安定になるのを抑制し、ユーザが前記面押しボタンを押したときに違和感を感じにくい電子機器を提供する。【解決手段】ボタンユニット１は、支持基部１１と、支持基部１１に立設された面押しボタン２と、支持基部１１の両端部及び面押しボタン２の間に上方に一体的に立設された取付部１２とを有し、取付部１２は、回り止めヒンジ１２１と、背面側に向けて突設された係合凸部１２３とを有ししており、基板４が係合凸部１２３にビスＢｓにて共締めされている。【選択図】図３
2008258002.tif 000002
【特許請求の範囲】
【請求項１】
複数個の貫通孔と、背面側に突設された複数個の係合ボスとを具備するフロントパネルと、
前記フロントパネルの背面に設置されたボタンユニットと、
前記ボタンユニットの背面側に配置され、前記貫通孔に対向する位置にスイッチが実装された基板とを有し、
前記ボタンユニットは、前記係合ボスが貫通するボス孔を備えた固定部と、前記貫通孔と同数備えられ前記固定部に傾動可能に連結されているとともに一部が前記貫通孔より突出する面押しボタンと、少なくとも前記複数個の面押しボタンの間に配置され前記固定部と連結しているとともに、先端近傍に前記係合ボスが貫通するボス孔を備えた取付部とを有し、
前記ボタンユニットが前記係合ボスの前記ボス孔より突出した部分を溶着することで固定され、前記面押しボタンが傾動することで、前記スイッチが押される電子機器であって、
前記複数個の取付部のうち少なくともひとつは背面側に突設された係合凸部を有しており、前記基板が前記係合凸部とビスにて共締めされて固定されていることを特徴とする電子機器。
【請求項２】
前記取付部が前記固定部の両端部の少なくとも一方と連結しているものを有することを特徴とする請求項１に記載の電子機器。
【請求項３】
前記フロントパネルは、前記複数個の面押しボタン又は複数個の取付部の少なくとも一方の側部と当接するように背面側に突設された回転防止リブを備えていることを特徴とする請求項１又は請求項２に記載の電子機器。
【請求項４】
前記係合凸部が備えられた取付部と前記固定部とは、前記ビスをねじ込むときに前記取付部に作用するモーメントによって変形する回り止めヒンジを介して連結されていることを特徴とする請求項１から請求項３のいずれかに記載の電子機器。
【請求項５】
前記回り止めヒンジは少なくとも１つの湾曲部を含む形状であることを特徴とする請求項４に記載の電子機器。
【請求項６】
前記面押しボタンは、平板状の台座部と、前記台座部の正面側に突設され、背面側に前記台座部の背面側に開口した空洞を有する面押し部とを有しており、
前記スイッチが前記面押し部の背面側に形成された前記空洞の内部に前記面押し部と被接触状態で配置されていることを特徴とする請求項１から請求項５のいずれかに記載の電子機器。
【発明の詳細な説明】
【技術分野】
【０００１】
本発明は、面押しボタンを備えた音響機器、映像機器等の電子機器に関するものである。
【背景技術】
【０００２】
音響機器、映像機器等の電子機器は、前面に前記電子機器の操作を行うための面押しボタンを複数個備えているものが多い。前記電子機器では、例えばＤＶＤ（Digital Versatile Disc）プレーヤの場合、電源入／切、再生、停止、ディスク排出等の操作を行うことができる面押しボタンを有しており、面押しボタンを押すことで各面押しボタンに関連付けられた操作を行うことができる。
【０００３】
図４は従来の電子機器の一例であるＤＶＤプレーヤの正面図であり、図５は図４に示すＤＶＤプレーヤのフロントパネルのボタンの取付部の背面図であり、図６は図５に示すフロントパネルのボタン取付部の側断面図である。図４、図５、図６に示すＤＶＤプレーヤは、ＤＶＤメディアの投入口Ｉｈと、電源ボタン９２ｐと、ＤＶＤメディアを挿入／排出するためのメディアボタン９２ｅと、ＤＶＤプレーヤの動作状態を示す情報表示窓Ｉｆと、巻き戻しボタン９２ａと、再生（一時停止）ボタン９２ｂと、停止ボタン９２ｃと、早送りボタン９２ｄと、フロントパネル９３と、フロントパネル９３の背面側に配置されたプリント基板９４とを備えている。
【０００４】
電源ボタン９２ｐ、メディアボタン９２ｅ、巻き戻しボタン９２ａ、再生ボタン９２ｂ、停止ボタン９２ｃ及び早送りボタン９２ｄは面押しボタン９２で形成されている。図４、図５に示すように、巻き戻しボタン９２ａ、再生ボタン９２ｂ、停止ボタン９２ｃ及び早送りボタン９２ｄは樹脂の一体成型で製造されたボタンユニット９１の一部を構成するものである。なお、巻き戻しボタン９２ａ、再生ボタン９２ｂ、停止ボタン９２ｃ及び早送りボタン９２ｄは同一の形状の面押しボタンで形成されているものであり、以下の説明では便宜上、面押しボタン９２として説明する。
【０００５】
図６に示すように、プリント基板９４には、スイッチ９５が実装されている。スイッチ９５は巻き戻しボタン９２ａ、再生ボタン９２ｂ、停止ボタン９２ｃ及び早送りボタン９２ｄそれぞれの背面側に１個ずつ配置されているものであり、各ボタンが押されることで、スイッチ９５が押され、各ボタンに割り当てられた動作を行うための信号が出力される。
【０００６】
図５に示すように、ボタンユニット９１は、横長の長尺部材である支持基部９１１と、支持基部９１１より所定の間隔をあけて上方に立設された４個の面押しボタン９２と、支持基部９１１の隣り合う面押しボタン９２の間に間隔をあけて上方に一体的に立設された３個の取付部９１２とを有している。
【０００７】
また、図５、図６に示すように、面押しボタン９２は、矩形の板状の本体部９２１と、本体部９２１の正面側に押し出され、背面側に開口を有する面押し部９２２と、本体部９２１の背面側の面押し部９２２との連結部より突設されたスイッチ保護リブ９２３と、本体部９２１の下端部に一体的に形成され、支持基部９１１と一体的に接続するヒンジ部９２４とを有している。ヒンジ部９２４は面押しボタン９２及びボタンユニット９１のいずれの部分よりも薄く形成され、弾性的にたわむものである。
【０００８】
図６に示すように、フロントパネル９３は貫通孔９３１と、背面側より一体的に立設された係合ボス９３２とを有している。ボタンユニット９１の支持基部９１１及び取付部９１２には係合ボス９３２が貫通するボス孔９１３が形成されている。
【０００９】
ボタンユニット９１は、面押しボタン９２の面押し部９２２の先端の一部を貫通孔９３１より突出させ、係合ボス９３２をボス孔９１３に貫通させて、フロントパネル９３に配置される。ボタンユニット９１がフロントパネル９３の背面に取り付けられた後、係合ボス９３２のボス孔９１３より突出した部分を加熱し、ボタンユニット９１に溶着されていることで、ボタンユニット９１はフロントパネル９３に固定されている。また、図６に示すように、プリント基板９４はフロントパネル９３に設けられたビス止め用凸部９３３にタッピングビスにてビス止めされている。プリント基板９４がフロントパネル９３にビス止めされることで、スイッチ９５は面押しボタン９２の面押し部９２２の内部に配置される。
【００１０】
このようにボタンユニット９１をフロントパネル９３に取り付ける場合、ボタンユニット９１とフロントパネル９３及びプリント基板９４との位置精度を高めるために、フロントパネル９３の背面より突設された位置決めリブ９３４が備えられており、その位置決めリブ９３４に面押しボタン９２の本体部９２１或いは取付部９１２の側部と接触することで、位置ずれを抑制して配置されている（特開２０００−２１５７５８号公報参照）。
【特許文献１】特開２０００−２１５７５８号公報
【発明の開示】
【発明が解決しようとする課題】
【００１１】
しかしながら、フロントパネル９３にボタンユニット９１とプリント基板９４とを別に取り付けるものの場合、プリント基板９４に実装されたスイッチ９５が面押し部９２２とずれて取り付けられてしまう場合がある。この状態で、面押しボタン９２が押されると、面押しボタン９２がヒンジ９２４を中心にたわむときに面押し部９２２の内周面がスイッチ９５と接触し、面押しボタン９２の操作感が悪くなったり、スイッチ９５が確実に押されず操作性が悪くなる場合がある。
【００１２】
また、特開２０００−２１５７５８号公報のように、面押しボタンとスイッチの間にホルダを取り付けたものの場合、ホルダを別途用意しなくてはならないとともに、スイッチと面押しボタンとの正確な位置決めを行うのが難しい。
【００１３】
また、プリント基板９４を固定するためにフロントパネル９３にビス止め用凸部９３３を形成する場合、ビス止め用凸部９３３は係合ボス９３２に比べて体積が大きく、樹脂の硬化時の収縮量が多い。この硬化時の収縮によってフロントパネル９３の正面がへこむ、いわゆる、引けが発せすることがあり、外観上の不具合になってしまう。
【００１４】
そこで本発明は、フロントパネルの外観状の不具合が発生を抑制することができるとともに、前記面押しボタンの誤動作、動作が不安定になるのを抑制することができる電子機器を提供することを目的とする。
【００１５】
また本発明は、ユーザが前記面押しボタンを押したときに違和感を覚えにくい電子機器を提供することを目的とする。
【課題を解決するための手段】
【００１６】
上記目的を達成するために本発明は、複数個の貫通孔と、背面側に突設された複数個の係合ボスとを具備するフロントパネルと、前記フロントパネルの背面に設置されたボタンユニットと、前記ボタンユニットの背面側に配置され、前記貫通孔に対向する位置にスイッチが実装された基板とを有し、前記ボタンユニットは、前記係合ボスが貫通するボス孔を備えた固定部と、前記貫通孔と同数備えられ前記固定部に傾動可能に連結されているとともに一部が前記貫通孔より突出する面押しボタンと、少なくとも前記複数個の面押しボタンの間に配置され前記固定部と連結しているとともに、先端近傍に前記係合ボスが貫通するボス孔を備えた取付部とを有し、前記ボタンユニットが前記係合ボスの前記ボス孔より突出した部分を溶着することで固定され、前記面押しボタンが傾動することで、前記スイッチが押される電子機器であって、前記複数個の取付部のうち少なくともひとつは背面側に突設された係合凸部を有しており、前記基板が前記係合凸部とビスにて共締めされて固定されていることを特徴とする。
【００１７】
この構成によると、基板をボタンユニットに直接固定するので、前記基板に実装されたスイッチと前記ボタンユニットとの位置がずれにくく、それだけ、スイッチの誤動作を防ぐことができる。また、ずれないことでユーザが動作時の違和感を覚えにくい。
【００１８】
上記構成において、前記取付部が前記固定部の両端部の少なくとも一方と連結しているものであってもよい。
【００１９】
上記構成において、前記フロントパネルは、前記複数個の面押しボタン又は複数個の取付部の少なくとも一方の側部と当接するように背面側に突設された回転防止リブを備えていてもよい。このように回転防止リブを取り付けることで、前記ボタンユニットを前記フロントパネルに取り付けるときに回転するのを抑制することができる。また、位置決めも容易に行うことができる。
【００２０】
上記構成において、前記係合凸部が備えられた取付部と前記固定部とは、前記ビスをねじ込むときに前記取付部に作用するモーメントによって変形する回り止めヒンジを介して連結されているものであってもよい。このように回り止めヒンジが備えられていることで、ビス止め時にビスのねじ込みによって発生する回転モーメントによって取付部が回転してしまった場合であっても、前記取付部の変位が前記回り止めヒンジの変形で吸収されるので、前記ボタンユニットが回転するのを抑制することが可能である。上記回り止めヒンジとして、少なくとも１つの湾曲部を含む形状のものを挙げることができる。
【００２１】
上記構成において、前記面押しボタンは、平板状の台座部と、前記台座部の正面側に突設され、背面側に前記台座部の背面側に開口した空洞を有する面押し部とを有しており、前記スイッチが前記面押し部の背面側に形成された前記空洞の内部に前記面押し部と被接触状態で配置されているものであってもよい。
【発明の効果】
【００２２】
本発明によると、フロントパネルの外観状の不具合が発生を抑制することができるとともに、前記面押しボタンの誤動作、動作が不安定になるのを抑制することができる電子機器を提供することができる。
【００２３】
また本発明によると、ユーザが前記面押しボタンを押したときに違和感を覚えにくい電子機器を提供することができる。
【発明を実施するための最良の形態】
【００２４】
以下に本発明の実施形態を図面を参照して説明する。  図１は従来の電子機器の一例であるＤＶＤプレーヤの正面図であり、図２は図１に示すＤＶＤプレーヤのフロントパネルに取り付けられたボタンユニットの背面図であり、図３は図２に示すフロントパネルに取り付けられた面押しボタンの側断面図である。なお、図２では便宜上プリント基板の図示を省略している。
【００２５】
図１に示すＤＶＤプレーヤは、ＤＶＤメディアの投入口Ｉｈと、電源ボタン２ｐと、ＤＶＤメディアを挿入／排出するためのメディアボタン２ｅと、ＤＶＤプレーヤの動作状態を示す情報表示窓Ｉｆと、巻き戻しボタン２ａと、再生（一時停止）ボタン２ｂと、停止ボタン２ｃと、早送りボタン２ｄと、フロントパネル３と、フロントパネル３の背面側に配置されたプリント基板４とを備えている。
【００２６】
電源ボタン２ｐ、メディアボタン２ｅ、巻き戻しボタン２ａ、再生ボタン２ｂ、停止ボタン２ｃ及び早送りボタン２ｄは面押しボタン２で形成されている。図２に示すように、巻き戻しボタン２ａ、再生ボタン２ｂ、停止ボタン２ｃ及び早送りボタン２ｄは樹脂の一体成型で製造されたボタンユニット１の一部を構成するものである。なお、巻き戻しボタン２ａ、再生ボタン２ｂ、停止ボタン２ｃ及び早送りボタン２ｄは同一の形状の面押しボタンで形成されているものであり、以下の説明では便宜上、面押しボタン２として説明する。
【００２７】
ボタンユニット１は樹脂の一体成型で形成されたものである。図２に示すように、ボタンユニット１はフロントパネル３の背面側に取り付けられるものであり、横長の長尺部材である支持基部１１と、支持基部１１に立設された４個の面押しボタン２と、支持基部１１の両端部及び面押しボタン２の間に上方に一体的に立設された５個の取付部１２とを有している。
【００２８】
支持基部１１には、断面円形状のボス孔１３が複数形成されている。ボス孔１３は、ボタンユニット１をフロントパネル３に取り付けたときに、フロントパネル３と対向する面から反対側の面に貫通した孔である。
【００２９】
図２に示すように、取付部１２は、支持基部１１と一体的に接続された回り止めヒンジ１２１と、回り止めヒンジ１２１と反対側の端部に形成されたボス孔１２２と、背面側に向けて突設された係合凸部１２３とを有している。図２に示すように回り止めヒンジ１２１は、背面側から見てＳ字状に湾曲して形成されている。回り止めヒンジ１２１は支持基部１１及び取付部１２の他の部分よりも薄く形成されており、変形しやすい。また、ボス孔１２２はフロントパネル３の背面側に取り付けたときに、フロントパネル３と対向する面から反対側の面に貫通した孔である。
【００３０】
図３に示すように、面押しボタン２は、矩形の板状の本体部２１と、本体部２１の正面側に押し出され、背面側に開口２２１を備えた面押し部２２と、本体部２１の背面側の開口２２１の縁端部より突設されたスイッチ保護リブ２３と、面押しボタン２の下端部に一体的に形成され、支持基部１１と一体的に接続するヒンジ部２４とを有している。ヒンジ部２４は面押しボタン２及びボタンユニット１のいずれの部分よりも薄く形成されており、弾性的にたわむものである。
【００３１】
プリント基板４には、面押しボタン２と同数（ここでは４個）のスイッチ５が実装されている。スイッチ５は上部の凸部を押すことで、信号を出力するものである。プリント基板４は、ボタンユニット１の背面側に配置され、スイッチ５は面押しボタン２の面押し部２２内部に配置される。また、プリント基板４には、ビス止めのための貫通孔４１が複数個形成されている。
【００３２】
図２、図３に示すように、フロントパネル３は貫通孔３１と、背面側より一体的に立設された複数個の係合ボス３２と、背面側より一体的に立設された位置決めリブ３３とを有している。ボタンユニット１はフロントパネル３の背面側に取り付けられている。ボタンユニット１は、面押しボタン２の面押し部２２の先端部が貫通孔３１より突出するとともに、背面側に形成された係合ボス３２が支持基部１１に形成されたボス孔１３及び取付部１２に形成されたボス孔１２２を貫通するように取り付けられている。また、位置決めリブ３３と面押し部２の本体部２１及び取付部１２の側部が接触することで、ボタンユニット１はフロントパネル３に対して、精度良く位置決めされる。
【００３３】
この状態で、係合ボス３２のボス孔１３及びボス孔１２２より突出した部分を加熱して、溶解させボス孔１３及びボス孔１２２の周囲に固着（溶着）させることで、係合ボス３２がボス孔１３及びボス孔１２２に固定される。これにより、ボタンユニット１がフロントパネル３に固定される。
【００３４】
そして、ボタンユニット１の背面側より、プリント基板４を取り付ける。プリント基板４に実装されている４個のスイッチ５がそれぞれに対応する面押しボタン２の面押し部２２の内部に、面押し部２２に対してずれのないように配置される。ずれのないようにとは、面押し部２２が押されたときに、ヒンジ２４が変形して面押し部２２がスイッチ５の凸部を正確に押すことができる位置である。
【００３５】
このとき、プリント基板４の貫通孔４１とボタンユニット１の取付部１２に形成されている係合凸部１２３と重なっており、貫通孔４１より先端が尖ったビスＢｓを貫通させるとともに、係合凸部１２３にねじ込む（タッピング）ことでプリント基板４がボタンユニット１に取付固定される。
【００３６】
プリント基板４を直接ボタンユニット１に取り付けるので、プリント基板４に実装されたスイッチ５と面押しボタン２の面押し部２２との位置を精度良く調整することが可能である。プリント基板４を取り付けるときの組み立て誤差により、スイッチ５が面押し部２２に対してずれて取り付けられてしまうことがなく、面押しボタン２の操作性の低下、操作感の低下を抑制することが可能である。
【００３７】
また、ボタンユニット１を取り付けるときに係合ボス３２の先端部を溶着するときに、溶解され、冷却された係合ボス３２の先端がボス孔１３及びボス孔１２２と接着しない場合がある。この場合においても、係合ボス３２の先端はボス孔１３及びボス孔１２２よりも大きくなっており、ボタンユニット１がフロントパネル３より脱落することはない。
【００３８】
ボタンユニット１にプリント基板４を取り付けるときに、係合凸部１２３にビスＢｓをねじ込むので、係合凸部１２３及び取付部１２には大きなモーメントが加わる。このとき、取付部１２或いは本体部１１は位置決めリブ３３にて移動が規制されているが、わずかに隙間がひらいている場合があり、その場合、その隙間の分だけ移動する。
【００３９】
このモーメントによって取付部１２が移動した場合であっても、取付部１２の変位は回り止めヒンジ１２１が変形して吸収されるので、支持基部１１に変位が伝播されるのを抑制し、ボタンユニット１の面押し部２のがたつきを防ぐことができる。これにより、面押し部２２がフロントパネル３の貫通孔３１に偏って取り付けられてしまったり、面押し部２２とスイッチ５とがずれてしまったりする不具合の発生を抑制することが可能である。
【００４０】
このように形成されていることで、面押し部２２とスイッチ５とのずれが発生するのを抑制することができ、面押し部２２が押され、面押しボタン２が傾動したときでも、スイッチ５を正確に押下することができるとともに、ユーザが面押しボタン２の動作に違和感を覚えることを抑制することができる。
【００４１】
以上、発明の実施形態を具体的に説明したが、本発明は上記実施形態に限定するものではなく、その要旨を逸脱しない範囲で種々変更可能である。
【産業上の利用可能性】
【００４２】
本発明は、面押しボタンを有する電子機器に採用することが可能である。
【図面の簡単な説明】
【００４３】
【図１】従来の電子機器の一例であるＤＶＤプレーヤの正面図である。
【図２】図１に示すＤＶＤプレーヤのフロントパネルに取り付けられたボタンユニットの背面図である。
【図３】図２に示すフロントパネルに取り付けられた面押しボタンの側断面図である。
【図４】従来の電子機器の一例であるＤＶＤプレーヤの正面図である。
【図５】図４に示すＤＶＤプレーヤのフロントパネルのボタンの取付部の背面図である。
【図６】図５に示すフロントパネルのボタン取付部の側断面図である。
【符号の説明】
【００４４】
１  ボタンユニット
１１  支持基部
１２  取付部
１２１  回り止めヒンジ
１２２  ボス孔
１２３  係合凸部
１３  ボス孔
２  面押しボタン
２１  本体部
２２  面押し部
２３  スイッチ保護リブ
２４  ヒンジ部
３  フロントパネル
３１  貫通孔
３２  係合ボス
３３  回転防止リブ
４  基板
４１  貫通孔
５  スイッチ
【図１】
2008258002.tif 000003
【図２】
2008258002.tif 000004
【図３】
2008258002.tif 000005
【図４】
2008258002.tif 000006
【図５】
2008258002.tif 000007
【図６】
2008258002.tif 000008